(57)【要約】【課題】オス部材を挿入可能なメス部材を備え、流路を封止する封止体を取り除くことにより開口され、メス部材の内周面に液状物が付着しにくいメスコネクタを提供する。【解決手段】中空円筒形状を有するメス部材１１の基端に、メス部材の内径より小さな内径を有する径小部１３が設けられている。封止体３０が、環状の薄肉部１４を介して径小部１３に接続され、径小部１３を封止している。封止体３０が径小部１３から分離され、径小部１３が開口されるように、薄肉部１４は破断可能である。径小部１３が開口されたメスコネクタ１にオスコネクタ１００が接続されると、メス部材１１にオスコネクタ１００のオス部材９２１が挿入され、径小部１３はオス部材９２１と連通される。【選択図】図２Ａ
2018052537.tif 000002
【特許請求の範囲】
【請求項１】
筒状のオス部材を備えたオスコネクタを接続することができるメスコネクタであって、
中空円筒形状を有するメス部材と、
前記メス部材の基端に設けられ、前記メス部材の内径より小さな内径を有する径小部と、
環状の薄肉部を介して前記径小部に接続され、前記径小部を封止する封止体とを備え、
前記封止体が前記径小部から分離され、前記径小部が開口されるように、前記薄肉部は破断可能に構成されており、
前記メスコネクタは、前記径小部が開口された前記メスコネクタに前記オスコネクタが接続されると、前記メス部材に前記オス部材が挿入され、前記径小部は前記オス部材と連通されるように構成されていることを特徴とするメスコネクタ。
【請求項２】
前記封止体は、前記径小部に対して前記メス部材と同じ側に配置されている請求項１に記載のメスコネクタ。
【請求項３】
前記封止体は、前記径小部に対して前記メス部材とは反対側に配置されている請求項１に記載のメスコネクタ。
【請求項４】
筒状のオス部材を備えたオスコネクタを接続することができるメスコネクタであって、
中空円筒形状を有するメス部材と、
前記メス部材と同軸に、前記メス部材に取り囲まれるように配置された、中空円筒形状を有する内筒と、
環状の薄肉部を介して前記内筒に接続され、前記内筒に設けられた流路を封止する封止体とを備え、
前記封止体が前記内筒から分離され、前記内筒の前記流路が開口されるように、前記薄肉部は破断可能に構成されており、
前記メスコネクタは、前記内筒の前記流路が開口された前記メスコネクタに前記オスコネクタが接続されると、前記メス部材に前記オス部材が挿入され、前記内筒は前記オス部材と連通されるように構成されていることを特徴とするメスコネクタ。
【請求項５】
前記内筒の外周面は、前記メスコネクタに前記オスコネクタが接続されたとき前記オス部材の内周面との間に液密なシールが形成されるように構成されている請求項４に記載のメスコネクタ。
【請求項６】
前記メス部材は、前記メスコネクタに前記オスコネクタが接続されたとき前記オス部材と液密に嵌合しないように構成されている請求項４又は５に記載のメスコネクタ。
【請求項７】
前記封止体は、前記メス部材に囲まれ且つ前記メス部材から離間して配置されている請求項１、２、４〜６のいずれか一項に記載のメスコネクタ。
【請求項８】
前記封止体は、前記メス部材の先端から突出していない請求項１、２、４〜７のいずれか一項に記載のメスコネクタ。
【請求項９】
前記封止体は、前記メス部材の先端から突出している請求項１、２、４〜７のいずれか一項に記載のメスコネクタ。
【請求項１０】
前記メス部材に着脱可能なキャップを更に備える請求項１〜９のいずれか一項に記載のメスコネクタ。
【請求項１１】
前記メス部材に装着された前記キャップに前記メス部材の中心軸方向の外力及び前記中心軸方向に直交する方向の外力が加えられた場合に、前記キャップが前記メス部材に対して実質的に変位しないように、または、変位した前記キャップが前記封止体に衝突しないように、前記キャップが構成されている請求項１０に記載のメスコネクタ。
【請求項１２】
前記封止体及び前記キャップのそれぞれは、互いに係合し合う係合構造を備える請求項１０又は１１に記載のメスコネクタ。
【請求項１３】
前記メス部材に対して前記キャップを回転させると、前記係合構造を介して回転力が前記封止体に伝達され、前記薄肉部が破断される請求項１２に記載のメスコネクタ。
【請求項１４】
前記キャップを前記メス部材から分離すると、前記係合構造を介して前記キャップに係合された前記封止体が前記キャップとともに前記メスコネクタから取り出される請求項１２又は１３に記載のメスコネクタ。
【請求項１５】
前記キャップは前記メス部材に挿入可能な挿入部を備え、
前記キャップの前記係合構造は、前記挿入部に設けられている請求項１２〜１４のいずれか一項に記載のメスコネクタ。
【発明の詳細な説明】
【技術分野】
【０００１】
本発明は、液状物が貯留された容器に好ましく設けられうるメスコネクタに関する。
【背景技術】
【０００２】
経腸栄養において、患者に投与される栄養剤を含む液状物を予めバッグ（いわゆるパウチ）に充填したReady To Hang（ＲＴＨ）製剤が広く用いられている。ＲＴＨ製剤では、液状物を注出するためのコネクタ（注出ポート）がバッグに溶着されている。液状物を投与する直前に、コネクタを開口し、コネクタに投与セット（患者の体内に挿入されたカテーテルの上流端に接続される柔軟なチューブ）を接続する。一般に、バッグに設けられるコネクタは、筒状のオス部材を備えたオスコネクタであり、投与セットの上流端には、当該オス部材を挿入可能なメスコネクタ（例えば特許文献１参照）が設けられている。
【０００３】
特許文献２，３には、バッグに設けられるオスコネクタが記載されている。このオスコネクタは、流路を封止する封止体（折り取り部材）を取り除くことにより開口することができるように構成された、いわゆる「ツイストオフ」（「スナップオフ」と言われることもある）型のオスコネクタである。封止体は、流路が形成された筒状のオス部材の先端に、流路の開口を封止するように設けられる。オス部材と封止体とは、薄肉化された弱化部を介して接続されている。封止体を捩ると、弱化部が破断して封止体がオス部材から分離され、オス部材の流路が開口する。
【０００４】
近年、経腸栄養以外の分野で使用されるコネクタとの誤接続を防止するために、液状物の流れに関して上流側（容器側）のコネクタ（以下「容器側コネクタ」という）として図１３Ａ及び図１３Ｂに示すメスコネクタ９１０が、また、液状物の流れに関して下流側（患者側）のコネクタ（以下「患者側コネクタ」という）として図１４Ａ及び図１４Ｂに示すオスコネクタ９２０が、栄養系の医療機器に関する国際規格ＩＳＯ８０３６９−３として国際標準化することが検討されている。
【０００５】
図１３Ａ及び図１３Ｂに示すメスコネクタ（容器側コネクタ）９１０は、中空円筒形状のメス部材９１１を有する。メス部材９１１の内周面９１２は、先端に近づくにしたがって内径が大きくなるテーパ面（いわゆるメステーパ面）である。メス部材９１１の外周面には螺状突起（雄ネジ）９１５が形成されている。
【０００６】
図１４Ａ及び図１４Ｂに示すオスコネクタ（患者側コネクタ）９２０は、筒形状のオス部材９２１と、オス部材９２１を取り囲む外筒９２３とを有する。オス部材９２１の外周面９２２は、先端に近づくにしたがって外径が小さくなるテーパ面（いわゆるオステーパ面）である。オス部材９２１には、その長手方向に沿ってオス部材９２１を貫通する流路９２７が形成されている。流路９２７を規定するオス部材９２１の内周面９２８は、オス部材９２１の長手方向において内径が一定である円筒面、または、オス部材９２１の先端に近づくにしたがって内径が大きくなるテーパ面（いわゆるメステーパ面）である。外筒９２３のオス部材９２１に対向する内周面には雌ネジ９２５が形成されている。
【０００７】
メスコネクタ９１０とオスコネクタ９２０とは、メス部材９１１にオス部材９２１を挿入し、且つ、螺状突起９１５と雌ネジ９２５とを螺合させることにより接続される。メス部材９１１の内周面９１２とオス部材９２１の外周面９２２とは、径及びテーパ角度が一致するテーパ面であるから、両者は、液密なシールを形成して面接触をする。互いに螺合する螺状突起９１５及び雌ネジ９２５は、メスコネクタ９１０とオスコネクタ９２０との接続状態をロックするためのネジロック機構を構成する。
【先行技術文献】
【特許文献】
【０００８】
【特許文献１】国際公開第２００８／１５２８７１号パンフレット
【特許文献２】特開２００６−３４１９０８号公報
【特許文献２】特開２０１３−０６０２１３号公報
【発明の概要】
【発明が解決しようとする課題】
【０００９】
ＩＳＯ８０３６９−３に準拠したメスコネクタ（容器側コネクタ）９１０（図１３Ａ及び図１３Ｂ参照）を注出ポートとしてバッグに取り付けてＲＴＨ製剤を構成する場合、メスコネクタ９１０が、上述した特許分文献２，３のオスコネクタと同様に、流路を封止する封止体が設けられて、封止体を取り除くことにより開口されるように構成されることが望まれる。
【００１０】
但し、オス部材の先端に封止体を設ける特許分文献２，３と同様に、メス部材９１１の先端に封止体を設けた場合、封止体をメス部材９１１から取り除くより前にメス部材９１１の内周面９１２に液状物が付着する。内周面９１２に付着した液状物は、メス部材９１１の内周面９１２とオス部材９２１の外周面９２２とを液密に嵌合させることを困難にしたり、オスコネクタ９２０のオス部材９２１と外筒９２３との間の隙間９２６に流れ込み、当該隙間９２６の衛生状態を悪化させたりする可能性がある。従って、メス部材９１１の内周面９１２に液状物が付着することは望ましくない。
【００１１】
本発明の第１の目的は、オス部材を挿入可能なメス部材を備え、流路を封止する封止体を取り除くことにより開口されるメスコネクタを提供することにある。本発明の第２の目的は、オス部材を挿入可能なメス部材を備え、メス部材の内周面に液状物が付着しにくいメスコネクタを提供することにある。
【課題を解決するための手段】
【００１２】
本発明の第１のメスコネクタは、筒状のオス部材を備えたオスコネクタを接続することができる。前記メスコネクタは、中空円筒形状を有するメス部材と、前記メス部材の基端に設けられ、前記メス部材の内径より小さな内径を有する径小部と、環状の薄肉部を介して前記径小部に接続され、前記径小部を封止する封止体とを備える。前記封止体が前記径小部から分離され、前記径小部が開口されるように、前記薄肉部は破断可能に構成されている。前記メスコネクタは、前記径小部が開口された前記メスコネクタに前記オスコネクタが接続されると、前記メス部材に前記オス部材が挿入され、前記径小部は前記オス部材と連通されるように構成されている。
【００１３】
本発明の第２のメスコネクタは、筒状のオス部材を備えたオスコネクタを接続することができる。前記メスコネクタは、中空円筒形状を有するメス部材と、前記メス部材と同軸に、前記メス部材に取り囲まれるように配置された、中空円筒形状を有する内筒と、環状の薄肉部を介して前記内筒に接続され、前記内筒に設けられた流路を封止する封止体とを備える。前記封止体が前記内筒から分離され、前記内筒の前記流路が開口されるように、前記薄肉部は破断可能に構成されている。前記メスコネクタは、前記内筒の前記流路が開口された前記メスコネクタに前記オスコネクタが接続されると、前記メス部材に前記オス部材が挿入され、前記内筒は前記オス部材と連通されるように構成されている。
【発明の効果】
【００１４】
本発明によれば、薄肉部を破断して封止部を取り除くことにより開口されるメスコネクタを提供することができる。
【００１５】
本発明の第１及び第２のメスコネクタでは、封止部が取り除かれない限り、メス部材の内周面に液状物は付着しない。
【図面の簡単な説明】
【００１６】
【図１Ａ】図１Ａは、本発明の実施形態１に係るメスコネクタ及びキャップの下方から見た分解斜視図である。
【図１Ｂ】図１Ｂは、本発明の実施形態１に係るメスコネクタ及びキャップの上方から見た分解斜視図である。
【図１Ｃ】図１Ｃは、本発明の実施形態１に係るメスコネクタ及びキャップの、中心軸を含む一平面に沿って切断された分解断面図である。
【図１Ｄ】図１Ｄは、本発明の実施形態１に係るメスコネクタ及びキャップの、中心軸を含む別の一平面に沿って切断された分解断面図である。
【図１Ｅ】図１Ｅは、本発明の実施形態１に係るメスコネクタの、先端側から見た斜視図である。
【図１Ｆ】図１Ｆは、本発明の実施形態１に係るキャップの、メスコネクタに装着される側から見た斜視図である。
【図２Ａ】図２Ａは、キャップが装着された、本発明の実施形態１に係るメスコネクタの、中心軸を含む一平面に沿った断面図である。
【図２Ｂ】図２Ｂは、キャップが装着された、本発明の実施形態１に係るメスコネクタの、中心軸を含む別の一平面に沿った断面図である。
【図３】図３は、開口された本発明の実施形態１に係るメスコネクタに、オスコネクタを接続した状態を示した断面斜視図である。
【図４Ａ】図４Ａは、本発明の実施形態２に係るメスコネクタの、先端側から見た斜視図である。
【図４Ｂ】図４Ｂは、本発明の実施形態２に係るキャップの、メスコネクタに装着される側から見た斜視図である。
【図５Ａ】図５Ａは、キャップが装着された、本発明の実施形態２に係るメスコネクタの、中心軸を含む一平面に沿った断面図である。
【図５Ｂ】図５Ｂは、キャップが装着された、本発明の実施形態２に係るメスコネクタの、中心軸を含む別の一平面に沿った断面図である。
【図６Ａ】図６Ａは、本発明の実施形態３に係るメスコネクタの、先端側から見た斜視図である。
【図６Ｂ】図６Ｂは、本発明の実施形態３に係るキャップの断面斜視図である。
【図７Ａ】図７Ａは、キャップが装着された、本発明の実施形態３に係るメスコネクタの、中心軸を含む一平面に沿った断面図である。
【図７Ｂ】図７Ｂは、キャップが装着された、本発明の実施形態３に係るメスコネクタの、中心軸を含む別の一平面に沿った断面図である。
【図８Ａ】図８Ａは、本発明の実施形態４に係るメスコネクタ及びキャップの下方から見た分解斜視図である。
【図８Ｂ】図８Ｂは、本発明の実施形態４に係るメスコネクタ及びキャップの上方から見た分解斜視図である。
【図８Ｃ】図８Ｃは、本発明の実施形態４に係るメスコネクタ及びキャップの、中心軸を含む一平面に沿って切断された分解断面図である。
【図８Ｄ】図８Ｄは、本発明の実施形態４に係るメスコネクタ及びキャップの、中心軸を含む別の一平面に沿って切断された分解断面図である。
【図８Ｅ】図８Ｅは、本発明の実施形態４に係るメスコネクタの、先端側から見た断面斜視図である。
【図９Ａ】図９Ａは、キャップが装着された、本発明の実施形態４に係るメスコネクタの、中心軸を含む一平面に沿った断面図である。
【図９Ｂ】図９Ｂは、キャップが装着された、本発明の実施形態４に係るメスコネクタの、中心軸を含む別の一平面に沿った断面図である。
【図１０Ａ】図１０Ａは、本発明の実施形態５に係るメスコネクタ及びキャップの下方から見た分解斜視図である。
【図１０Ｂ】図１０Ｂは、本発明の実施形態５に係るメスコネクタ及びキャップの上方から見た分解斜視図である。
【図１０Ｃ】図１０Ｃは、本発明の実施形態５に係るメスコネクタ及びキャップの、中心軸を含む一平面に沿って切断された分解断面斜視図である。
【図１０Ｄ】図１０Ｄは、本発明の実施形態５に係るメスコネクタ及びキャップの、中心軸を含む別の一平面に沿って切断された分解断面斜視図である。
【図１１Ａ】図１１Ａは、キャップが装着された、本発明の実施形態５に係るメスコネクタの、中心軸を含む一平面に沿った断面図である。
【図１１Ｂ】図１１Ｂは、キャップが装着された、本発明の実施形態５に係るメスコネクタの、中心軸を含む別の一平面に沿った断面図である。
【図１２】図１２は、開口された本発明の実施形態５に係るメスコネクタに、オスコネクタを接続した状態を示した断面図である。
【図１３】図１３Ａは、ＩＳＯ８０３６９−３として検討されているメスコネクタの斜視図である。図１３Ｂは、当該メスコネクタの中心軸を含む面に沿った断面図である。
【図１４】図１４Ａは、ＩＳＯ８０３６９−３として検討されているオスコネクタの斜視図である。図１４Ｂは、当該オスコネクタの中心軸を含む面に沿った断面図である。
【発明を実施するための形態】
【００１７】
本発明の前記第１のメスコネクタにおいて、前記封止体は、前記径小部に対して前記メス部材と同じ側に配置されていてもよい。かかる構成は、メス部材側から封止体にアクセスするのが容易であるので、メスコネクタを開口する作業を容易に行うのに有利である。
【００１８】
あるいは、前記封止体は、前記径小部に対して前記メス部材とは反対側に配置されていてもよい。かかる構成は、メス部材にキャップを装着していない状態においてメス部材が周辺物に衝突するなどしても、封止体に外力が加えられる可能性は低いので、外力によって薄肉部が意図せずにひび割れや破断するのを回避するのに有利である。また、かかる構成によれば、メス部材に棒を挿入して、その先端を封止体に押し当てることにより、メスコネクタを容易に開口することができる。
【００１９】
本発明の前記第２のメスコネクタにおいて、前記内筒の外周面は、前記メスコネクタに前記オスコネクタが接続されたとき前記オス部材の内周面との間に液密なシールが形成されるように構成されていてもよい。液密なシールは、液状物が、内筒とオス部材との間を通ってオス部材の外周面等へ流れるのを防止する。従って、かかる構成は、オスコネクタの衛生状態を良好に維持するのに有利である。
【００２０】
本発明の前記第２のメスコネクタにおいて、前記メス部材は、前記メスコネクタに前記オスコネクタが接続されたとき前記オス部材と液密に嵌合しないように構成されてもよい。かかる構成は、内筒とオス部材とを局所的且つ確実に密着させることを容易にするので、内筒とオス部材との間に形成されるシールの液密性を向上するのに有利である。
【００２１】
本発明の第１及び第２のメスコネクタにおいて、前記封止体は、前記メス部材に囲まれ且つ前記メス部材から離間して配置されていてもよい。かかる構成によれば、封止体に半径方向の力を加えて変位させることにより、薄肉部を破断させて、メスコネクタを開口させることができる。また、かかる構成は、キャップの挿入部を封止体とメス部材との間の隙間に挿入することを可能にするので、外力が加えられたときにキャップがメス部材から意図せずに脱落してしまう可能性を低減するのに有利である。
【００２２】
本発明の第１及び第２のメスコネクタにおいて、前記封止体は、前記メス部材の先端から突出していなくてもよい。かかる構成は、メス部材にキャップを装着していない状態においてメスコネクタが周辺物に衝突するなどしても、封止体に外力が加えられる可能性は低いので、外力によって薄肉部が意図せずにひび割れや破断するのを回避するのに有利である。
【００２３】
あるいは、本発明の第１及び第２のメスコネクタにおいて、前記封止体は、前記メス部材の先端から突出していてもよい。かかる構成によれば、キャップを用いることなく、封止体に直接力を加えることにより、薄肉部を破断させて、メスコネクタを開口させることができる。
【００２４】
本発明の第１及び第２のメスコネクタは、前記メス部材に着脱可能なキャップを更に備えていてもよい。かかる構成は、メス部材の衛生状態を良好に維持するのに有利である。
【００２５】
前記メス部材に装着された前記キャップに前記メス部材の中心軸方向の外力及び前記中心軸方向に直交する方向の外力が加えられた場合に、前記キャップが前記メス部材に対して実質的に変位しないように、または、変位した前記キャップが前記封止体に衝突しないように、前記キャップが構成されていてもよい。かかる構成は、キャップが周辺物に衝突するなどによりキャップに外力が加えられた場合に薄肉部が意図せずにひび割れや破断するのを回避するのに有利である。
【００２６】
前記封止体及び前記キャップのそれぞれは、互いに係合し合う係合構造を備えていてもよい。
【００２７】
一構成例では、前記メス部材に対して前記キャップを回転させると、前記係合構造を介して回転力が前記封止体に伝達され、前記薄肉部が破断される。かかる構成によれば、キャップをメス部材に装着した状態でキャップを回転させるという簡単な操作で、メスコネクタを開口させることができる。
【００２８】
別の構成例では、前記キャップを前記メス部材から分離すると、前記係合構造を介して前記キャップに係合された前記封止体が前記キャップとともに前記メスコネクタから取り出される。かかる構成によれば、メスコネクタから分離された封止体が脱落したり紛失したりするのを防止することができる。また、薄肉部を破断する前では、重力や軽振動によってキャップがメス部材から脱落するのを防止することができる。
【００２９】
本発明の第１及び第２のメスコネクタにおいて、前記キャップは前記メス部材に挿入可能な挿入部を備えていてもよい。この場合、前記キャップの前記係合構造は、前記挿入部に設けられていてもよい。キャップが、メス部材に挿入される挿入部を備えることは、外力が加えられたときにキャップがメス部材から意図せずに脱落してしまう可能性を低減するのに有利である。このような挿入部に係合構造を設けることは、キャップの構成を簡単化するのに有利である。
【００３０】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する主要部材を簡略化して示したものである。従って、本発明は以下の各図に示されていない任意の部材を備え得る。また、本発明の範囲内において、以下の各図に示された各部材を変更または省略し得る。各実施形態の説明において引用する図面において、先行する実施形態で引用した図面に示された部材に対応する部材には、当該先行する実施形態の図面と同じ符号が付してある。そのような部材については、重複する説明が省略されており、先行する実施形態の説明を適宜参酌すべきである。
【００３１】
（実施形態１）
図１Ａは、本発明の実施形態１に係るメスコネクタ１及びキャップ８０の下方から見た分解斜視図であり、図１Ｂは、メスコネクタ１及びキャップ８０の上方から見た分解斜視図である。図１Ｃは、メスコネクタ１及びキャップ８０の、中心軸１ａを含む一平面に沿った分解断面図、図１Ｄは、メスコネクタ１及びキャップ８０の、中心軸１ａを含む別の一平面に沿った分解断面図である。図１Ｄの断面は、図１Ｃの断面と直交する。図１Ｅは、メスコネクタ１の、先端側から見た斜視図である。図１Ｆは、キャップ８０の、メスコネクタ１に装着される側から見た斜視図である。中心軸１ａは、メスコネクタ１及びキャップ８０に共通する中心軸である。以下の説明の便宜のために、中心軸１ａに平行な方向を「上下方向」といい、「上」及び「下」は、図１Ａ〜図１Ｄに基づいて定義する。但し、「上」及び「下」は、メスコネクタ１及びキャップ８０の実際の使用時の向きを意味するものではない。また、中心軸１ａに沿った寸法を「高さ」という。また、中心軸１ａに直交する方向を「半径方向」、中心軸１ａの周りを回転する方向を「周方向」という。
【００３２】
図１Ａ〜図１Ｄに示されているように、メスコネクタ１は、メスコネクタ本体部１０と溶着部５０とを備える。メスコネクタ本体部１０と溶着部５０との間に、略菱形の平面視形状を有する薄板状の仕切板５９が設けられている。仕切板５９は、メスコネクタ本体部１０及び溶着部５０よりも半径方向に沿って外向きに突出している。
【００３３】
メスコネクタ本体部１０は、中心軸１ａと同軸の中空円筒形状を有するメス部材１１を備える。メス部材１１の内周面１２は、先端（図１Ｃ、図１Ｄにおいて下端）に近づくにしたがって内径が大きくなるテーパ面（いわゆるメステーパ面）である。メス部材１１の外周面には螺状突起（雄ネジ）１５が設けられている。これらは、図１３Ａ及び図１３Ｂに示すメスコネクタ９１０と実質的に同じであり、好ましくはＩＳＯ８０３６９−３に準拠している。
【００３４】
図１Ｃ及び図１Ｄに示されているように、メス部材１１の基端（メス部材１１の先端とは反対側の端部、本実施形態１では、仕切板５９に対応する部分）には、内周面１２よりも小さな内径を有する径小部１３が設けられている。径小部１３は、メス部材１１と同軸の円形の開口である。
【００３５】
図１Ｃ及び図１Ｄに示されているように、封止体３０が、薄肉部１４を介して径小部１３の端縁に接続されている。封止体３０は、全体として略円柱形状を有する。封止体３０は、径小部１３に対してメス部材１１と同じ側に、メス部材１１と同軸に、メス部材１１内に配置されている。封止体３０は、メス部材１１に囲まれるように、メス部材１１の内周面１２から半径方向に離間している。薄肉部１４は、径小部１３の円形の端縁と、封止体３０の基端側の円形の端縁との間を封止するように、環状に連続している。この結果、径小部１３の開口は、封止体３０により封止されている。薄肉部１４は、その近傍の径小部１３、メス部材１１、封止体３０のいずれよりも薄く、その結果、相対的に機械的強度が低下した弱化部である。図１Ｅに示されているように、封止体３０の先端には、略十字状の突起３２が設けられている。
【００３６】
図１Ａ〜図１Ｄに示されているように、溶着部５０は、仕切板５９と相似な略菱形の平面視形状を有する略四角柱体である。柔軟な２枚のシート（図示せず）を、その間に溶着部５０を挟んで重ね合わせ、２枚のシートの外周端縁をヒートシール法により溶着して、液状物を充填するバッグが製造される。シートは、溶着部５０の外側面（溶着面）５１に溶着される。メスコネクタ１は、当該バッグに充填された液状物を取り出すための注出ポートとして使用されうる。バッグは、例えば経腸栄養において患者に投与される液状物が充填されたＲＴＨ製剤であってもよい。なお、溶着部５０の形状は、略四角柱体である必要はなく、シートに溶着可能な任意の形状であってもよい。図１Ｃ及び図１Ｄに示されているように、径小部１３と連通した流路５２が溶着部５０を貫通している。流路５２の内径は、径小部１３の内径より大きい。
【００３７】
キャップ８０は、底板８９と、底板８９の外周端縁に沿って設けられた外壁８８とを備え、メスコネクタ１の側に開口した有底の箱形状を有する。本実施形態１では、底板８９は略菱形を有し、外壁８８は略四角柱面を構成する。キャップ８０は、更に、外壁８８に内接する内壁８５と、内壁８５に取り囲まれた挿入部８１とを備える。内壁８５及び挿入部８１は、いずれも中空の円筒形状を有し、中心軸１ａと同軸に配置され、互いに半径方向に離間している。底板８９からの高さは、外壁８８と内壁８５とはほぼ同じであり、挿入部８１はこれらより低い。図１Ｃ及び図１Ｄに示されているように、内壁８５の内周面の、底板８９からわずかに離間した位置に、周方向に連続した環状リブ８６が設けられている。環状リブ８６は、内壁８５の内周面よりも中心軸１ａに向かって突出した突起である。図１Ｆに示されているように、中央に向かって突出した４つの突起８２が、挿入部８１の内周面に設けられている。４つの突起８２は、周方向に等間隔で配置されている。
【００３８】
メスコネクタ１の材料は、硬質材料が好ましく、バッグを構成するシートの溶着部５０に対する溶着性を考慮すると、ポリプロピレン、ポリエチレン等の樹脂材料が好ましい。キャップ８０の材料も、硬質材料が好ましく、制限はないが、例えばポリカーボネート、ポリプロピレン、ポリアセタール、ポリアミド、硬質ポリ塩化ビニル、ポリエチレン、スチレンエチレン、ポリエチレンテレフタレート、ポリブチレンテレフタレート、ブチレンスチレンブロック共重合体等の樹脂材料が好ましい。メスコネクタ１及びキャップ８０のそれぞれは、上記の樹脂材料を射出成形することによりその全体が一部品として一体的に製造されうる。
【００３９】
キャップ８０は、図２Ａ及び図２Ｂに示すようにメスコネクタ１に装着される。図２Ａは図１Ｃと同じ断面に沿った断面図であり、図２Ｂは図１Ｄと同じ断面に沿った断面図である。図２Ａ及び図２Ｂでは図示を省略しているが、メスコネクタ１の溶着部５０には、液状物を貯留したバッグを構成するシートが溶着されている。
【００４０】
メスコネクタ１のメス部材１１が、キャップ８０の内壁８５と挿入部８１との間の隙間に挿入されている。キャップ８０の挿入部８１は、メスコネクタ１のメス部材１１と封止体３０との間の隙間に挿入されている。メスコネクタ１の封止体３０は、キャップ８０の挿入部８１内に挿入されている。キャップ８０の外壁８８及び内壁８５の先端は、メスコネクタ１の仕切板５９に当接している。
【００４１】
図２Ｂに示されているように、メス部材１１の外周面から突出した螺状突起１５が、キャップ８０の内壁８５の内周面に設けられた環状リブ８６に係合している。このため、キャップ８０は、重力や軽振動によってメス部材１１から脱落することはない。メス部材１１に対してキャップ８０を着脱する際には、キャップ８０の環状リブ８６がメス部材１１の螺状突起１５を乗り越える必要がある。このとき、作業者はクリック感を感じ、キャップ８０の着脱が確実に行われたことを認識することができる。
【００４２】
図２Ａ及び図２Ｂには明確に示されていないが、メスコネクタ１の封止体３０の先端に設けられた略十字状の突起３２（図１Ｅ参照）にキャップ８０の挿入部８１の内周面から突出した４つの突起８２（図１Ｆ参照）が係合している。このため、封止体３０に対してキャップ８０を相対的に回転させることができない。
【００４３】
バッグ内の液状物を患者に投与する経腸栄養を行うためには、メスコネクタ１を開口させる必要がある。メスコネクタ１を開口させるためには、メス部材１１に対してキャップ８０を回転させればよい。キャップ８０の突起８２が封止体３０の突起３２に係合しているので、キャップ８０を回転させると、キャップ８０に加えられた回転力が封止体３０に伝達され、封止体３０はキャップ８０と一体的に回転する。薄肉部１４は相対的に機械的強度が低いので、薄肉部１４が破断され、封止体３０が径小部１３から分離される。この結果、径小部１３が開口する。キャップ８０及び封止体３０は、メスコネクタ１から取り除かれる。
【００４４】
その後、メスコネクタ１にオスコネクタ１００が接続される。図３は、オスコネクタ１００が接続されたメスコネクタ１の断面斜視図である。図３のメスコネクタ１は、薄肉部１４が破断され、封止体３０が取り除かれている点を除いて、図１Ａ〜図１Ｅに示したメスコネクタ１と同じである。
【００４５】
オスコネクタ１００は、例えば経腸栄養を行うときに使用される投与セットの上流端に設けられている。投与セットは、液状物を貯留したバッグのポート（即ち、メスコネクタ１）と、患者の体内に挿入されたカテーテル（例えばＰＥＧカテーテル、経鼻カテーテル）とを接続するためのものである。オスコネクタ１００は、一端にオスコネクタ本体部１２０を備え、他端に基部１１０を備える。
【００４６】
オスコネクタ本体部１２０は、ＩＳＯ８０３６９−３に準拠している。図３において、図１４Ａ及び図１４Ｂに示すオスコネクタ９２０と同じ要素には同じ符号が付してあり、それらの詳細な説明を省略する。メスコネクタ１のメス部材１１にオスコネクタ１００のオス部材９２１が挿入され、且つ、螺状突起１５に雌ネジ９２５が螺合されている。メス部材１１の内周面１２はオス部材９２１の外周面９２２と、径及びテーパ角度が一致するテーパ面であるから、両者は、液密なシールを形成して面接触をする。径小部１３とオス部材９２１の流路９２７とが連通する。互いに螺合する螺状突起１５及び雌ネジ９２５は、メスコネクタ１とオスコネクタ１００との接続状態をロックするためのネジロック機構を構成する。
【００４７】
基部１１０には、接続筒１１２が設けられている。接続筒１１２は、オス部材９２１と同軸であり、且つ、オス部材９２１に設けられた流路９２７と連通する。接続筒１１２に、投与セットを構成する柔軟な中空のチューブの上流端が挿入され固定される。バッグに貯留された液状物は、メスコネクタ１の流路５２、径小部１３、メス部材１１、オス部材９２１の流路９２７を順に通って、投与セットへ流れる。
【００４８】
以上のように、本実施形態１のメスコネクタ１は、中空円筒形状を有するメス部材１１と、径小部１３を封止する封止体３０とを備える。メスコネクタ１を、液状物を貯留したバッグに取り付けて、ＲＴＨ製剤を構成することができる。液状物を患者に投与する直前にメスコネクタ１から封止体３０を取り除き、次いでメスコネクタ１に、投与セットの上流端に設けられたオスコネクタ１００を接続することができる。
【００４９】
封止体３０は、メスコネクタ１の径小部１３を封止するように設けられている。これは、以下の効果を奏する。
【００５０】
本実施形態１とは異なり、例えば封止体３０を、薄肉部を介してメス部材１１の先端に設けても、メスコネクタ１の流路を封止することは可能である。この場合、封止体がメスコネクタを封止していても、径小部１３は開口されているので、バッグ内の液状物は径小部１３を通ってメス部材１１内の空間を満たす。その後、メスコネクタ１から封止体を取り除いたとき、メス部材１１の内周面１２に液状物が付着している。このメス部材１１にオス部材９２１が挿入される（図３参照）。
【００５１】
メス部材１１の内周面１２に付着した液状物は、メス部材１１の内周面１２とオス部材９２１の外周面９２２とを液密に嵌合させることを困難にする。このため、内周面１２と外周面９２２との間からの液状物の漏れ出しや、メスコネクタ１とオスコネクタ１００との接続強度の低下を招く可能性がある。
【００５２】
また、メス部材１１にオス部材９２１を挿入することにより、メス部材１１の内周面１２に付着していた液状物がメス部材１１からあふれ出し、オス部材９２１と外筒９２３との間の隙間９２６に流れ込む。あるいは、メス部材１１の内周面１２に付着していた液状物が、オスコネクタ１００をメスコネクタ１から分離後に、オス部材９２１の外周面９２２に転着する。図１４Ｂから理解できるように、隙間９２６は非常に狭いので、隙間９２６内に流れ込んだ液状物や、オス部材９２１の外周面９２２に付着した液状物を拭き取り除去することは困難である。このため、オスコネクタ１００（特にオスコネクタ本体部１２０の隙間９２６）は不衛生状態に至りやすい。
【００５３】
これに対して、本実施形態１では、封止体３０は、メスコネクタ１の径小部１３を封止するように設けられている（図１Ｃ及び図１Ｄ参照）。このため、封止体３０を取り除かない限り、バッグ内の液状物は、メス部材１１の内周面１２に付着しない。液状物を患者に投与する直前にメスコネクタ１から封止体３０を取り除き、直ちにオスコネクタ１００を接続すれば、メス部材１１の内周面１２に液状物が付着することなくメス部材１１にオス部材９２１を挿入することができる。従って、上記の問題が生じる可能性は低い。したがって、径小部１３を封止する封止体３０は、メス部材１１の内周面１２とオス部材９２１の外周面９２２との密着性の向上や、オスコネクタ１００の隙間９２６の良好な衛生状態の維持に有利である。
【００５４】
封止体３０が、径小部１３に対してメス部材１１と同じ側に配置されている。これは、メス部材１１側から封止体３０にアクセスするのを容易にするので、封止体３０をメスコネクタ１から取り除く作業を容易に行うのに有利である。
【００５５】
封止体３０がメス部材１１から半径方向に離間している。このため、図２Ａ及び図２Ｂに示すように、封止体３０とメス部材１１との間の隙間に、キャップ８０の挿入部８１を挿入することができる。これは、挿入部８１を、その先端がメス部材１１の基端（または径小部１３）近傍に達するほどに、メス部材１１内に深く挿入することを可能にする。メス部材１１と挿入部８１との対向領域が大きくなるので、キャップ８０に半径方向の外力が加えられたとき、挿入部８１の外周面とメス部材１１の内周面１２とが当接する領域が大きくなる。これは、そのような外力が加えられたときにキャップ８０がメス部材１１から意図せずに脱落してしまう可能性を低減するのに有利である。
【００５６】
但し、封止体３０とメス部材１１との間の隙間に挿入部８１が挿入されていなくてもよい。例えば、挿入部８１の先端が封止体３０の先端に中心軸１ａ方向に対向するように、挿入部８１はメス部材１１内に挿入されてもよい。この場合、突起８２は挿入部８１の先端（封止体３０に対向する面）に設けることができる。
【００５７】
メス部材１１にはキャップ８０が装着される。一実施形態では、液状物を貯留したバッグ（例えばＲＴＨ製剤）は、メスコネクタ１にキャップ８０が装着された状態で病院等の医療機関に搬送され、経腸栄養を行う直前まで（即ち、メスコネクタ１を開口する直前まで）、キャップ８０はメス部材１１に装着され続ける（図２Ａ及び図２Ｂ参照）。メス部材１１にキャップ８０が装着されていないと、メス部材１１に作業者の手が触れる等して、メス部材１１に菌が付着する可能性がある。このため、その後、メスコネクタ１にオスコネクタ１００を接続して経腸栄養を行うときに、メス部材１１に付着した菌が、患者の体内に侵入したり、オスコネクタ１００に転着してオスコネクタ１００（特にその隙間９２６）の衛生状態を悪化させたりする。メスコネクタ１を開口する直前までメス部材１１にキャップ８０が装着されていれば、メス部材１１（特にその内周面１２）の衛生状態を良好に維持することができ、経腸栄養の際に、菌が、患者の体内に侵入したり、オスコネクタ１００に転着したりするのを防止できる。
【００５８】
メス部材１１にキャップ８０を装着した状態でキャップ８０が周辺物に衝突するなどによってキャップ８０に外力が加えられると、キャップ８０がメスコネクタ１に対して変位し、これにより挿入部８１が封止体３０に衝突し封止体３０を変位させることがある。その結果、薄肉部１４がひび割れや破断し、液状物が漏れ出す事態が発生する可能性がある。これを回避するためには、キャップ８０に外力が加えられた場合に、キャップ８０がメス部材１１に対して実質的に変位しないか、または、変位したキャップ１が封止体３０に衝突しないように、キャップ８０が構成されることが好ましい。具体的には、例えば以下の回避策が考えられる。
【００５９】
第１の回避策では、メス部材１１にキャップ８０を装着した状態（図２Ａ及び図２Ｂ参照）において、キャップ８０の挿入部８１は、メスコネクタ１の封止体３０から半径方向に離間される。より詳細には、挿入部８１と封止体３０との間の半径方向の間隔は、挿入部８１とメス部材１１との間の半径方向の間隔より大きいことが好ましい。この第１の回避策では、キャップ８０がメスコネクタ１に対して半径方向に変位しても、挿入部８１は、メス部材１１には衝突するが、封止体３０には衝突しない。
【００６０】
第２の回避策では、メス部材１１にキャップ８０を装着した状態（図２Ａ及び図２Ｂ参照）において、キャップ８０の挿入部８１の外周面を、メス部材１１の内周面１２に嵌合させる。例えば、挿入部８１の外周面を、オス部材９２１の外周面９２２（図１４Ａ及び図１４Ｂ参照）と同様のオステーパ面で構成することができる。好ましくは、挿入部８１は封止体３０から半径方向に離間される。この第２の回避策では、キャップ８０はメスコネクタ１に対して半径方向に実質的に変位することができないので、挿入部８１は、封止体３０に衝突しない、または封止体３０を変位させない。
【００６１】
第３の回避策では、上述したように、挿入部８１は、その中に封止体３０が挿入されないように構成される。この第３の回避策では、キャップ８０がメスコネクタ１に対して半径方向に変位しても、挿入部８１が封止体３０に衝突することはない。
【００６２】
上記の第１〜第３の回避策は、キャップ８０に半径方向の外力が作用した場合に薄肉部１４のひび割れや破断を防止するのに有効である。キャップ８０に中心軸１ａ方向の外力が作用した場合に薄肉部１４のひび割れや破断を防止するための回避策（第４の回避策）としては、例えばキャップ８０の外壁８８及び／又は内壁８５がメスコネクタ１の仕切板５９に中心軸１ａ方向に当接したときに、キャップ８０が封止体３０に対して中心軸１ａ方向の力を実質的に加えないように（例えば、キャップ８０と封止体３０とが中心軸１ａ方向に離間するように）、キャップ８０が構成される。上記の第２の回避策は、キャップ８０に中心軸１ａ方向の外力が作用した場合にも有効である。
【００６３】
外力による薄肉部１４の意図しないひび割れや破断の防止と、封止体３０をメスコネクタ１から取り除くために行うメスコネクタ１に対するキャップ８０の回転の容易性とを両立させるためには、半径方向の外力及び中心軸１ａ方向の外力によってキャップ８０がメス部材１１に対して変位してもキャップ８０が封止体３０に衝突しないように、キャップ８０をメス部材１１に装着した状態においてキャップ８０は封止体３０に対して半径方向及び中心軸１ａ方向に離間することが好ましい。
【００６４】
別の実施形態では、メスコネクタ１を開口する直前まで、メス部材１１にキャップ８０が装着されない。例えば、メスコネクタ１が設けられたバッグ（例えばＲＴＨ製剤）の全体を包装するなどによりメス部材１１の衛生状態を確保することができる場合等では、メス部材１１にキャップ８０を装着する必要はない。メス部材１１にキャップ８０を装着しなければ、キャップ８０に外力が加えられることによって薄肉部１４がひび割れや破断するという上述した問題が生じない。しかも、図１Ｃ及び図１Ｄに示されているように、封止体３０はメス部材１１で取り囲まれ、且つ、メス部材１１の先端から突出していない。このため、メス部材１１にキャップ８０が装着されていない状態でメスコネクタ１が周辺物に衝突するなどしても、封止体３０に外力が加えられる可能性は低い。したがって、外力によって薄肉部１４が意図せずにひび割れや破断するのを回避する観点からは、メス部材１１にキャップ８０が装着されていないことが望ましい。この場合、キャップ８０は、封止体３０を取り除くためにのみ使用され、封止体３０を取り除く直前にメス部材１１に装着される。
【００６５】
封止体３０及びキャップ８０には、互いに係合し合う係合構造として、突起３２（図１Ｅ参照）及び突起８２（図１Ｆ参照）が設けられている。このため、メス部材１１に対してキャップ８０を中心軸１ａ回りに回転させると、キャップ８０に印加された回転力が突起８２及び突起３２を介して封止体３０に伝達され、薄肉部１４を破断することができる。封止体３０はメス部材１１の先端から突出していないから、封止体３０に直接手を触れることは困難である。本実施形態１によれば、キャップ８０をメス部材１１に装着した状態でキャップ８０をメスコネクタ１に対して回転させるという簡単な操作で、封止体３０を取り除き、メスコネクタ１を開口させることができる。このため、いわゆるツイストオフ型のメスコネクタを実現できる。
【００６６】
もちろん、キャップ８０を用いることなく、メスコネクタ１を開口させることは可能である。例えば、細い棒をメス部材１１内に挿入して、封止体３０に半径方向の力を加えれば、薄肉部１４を破断させて封止体３０を取り除くことが可能である。従って、本実施形態１では、キャップ８０を省略してもよい。封止体３０がメス部材１１から半径方向に離間していることは、キャップ８０を用いずに、封止体３０を取り除くのに有利である。
【００６７】
上記の例では、封止体３０及びキャップ８０に設けられる、互いに係合し合う係合構造として、封止体３０に突起３２が設けられ、キャップ８０に突起８２が設けられていたが、係合構造はこれに限定されない。係合構造は、キャップ８０に加えられる中心軸１ａ回りの回転力を封止体３０に伝達することができれば、任意の構成を有しうる。例えば、係合構造は、互いに係合し合う凸部と凸部又は凸部と凹部で構成しうる。凸部及び凹部の形状は任意である。係合構造が凸部と凹部で構成される場合、封止体３０及びキャップ８０のうちのいずれに凸部を設けるかは任意である。封止体３０の係合構造は、封止体３０の先端に設けられる必要はなく、後述する実施形態２のように、封止体３０の外周面に設けられてもよい。挿入部８１に設けられる係合構造は、封止体３０の係合構造の位置に応じて設定される。好ましくは、封止体３０の係合構造及びキャップ８０の係合構造は、中心軸１ａに沿ってキャップ８０をメス部材１１に接近させると両者が係合し、中心軸１ａに沿ってキャップ８０をメス部材１１から離間させると両者の係合が解除されるように構成される。
【００６８】
（実施形態２）
図４Ａは、本発明の実施形態２に係るメスコネクタ２の先端側から見た斜視図である。図４Ｂは、本発明の実施形態２に係るキャップ２８０の、メスコネクタ２に装着される側から見た斜視図である。実施形態１との相違点を中心に、本実施形態２を説明する。
【００６９】
実施形態１の略十字状の突起３２（図１Ｅ参照）に代えて、本実施形態２では、図４Ａに示されているように封止体３０の外周面に、封止体３０の長手方向に沿った４本の溝２３２が設けられている。溝２３２は、周方向に等間隔で配置されている。また、本実施形態２の封止体３０は、実施形態１より長く、その結果、メス部材１１の先端よりも下方に突出している（後述する図５Ａ及び図５Ｂ参照）。
【００７０】
図４Ｂに示されているように、キャップ２８０の挿入部８１の内周面には、挿入部８１の長手方向に沿って延びた４本のリブ状の突起２８２が設けられている。突起２８２は、周方向に等間隔で配置されている。
【００７１】
図５Ａ及び図５Ｂは、キャップ２８０が装着されたメスコネクタ２の断面図である。キャップ２８０は、メス部材１１とこれから突出した封止体３０を覆っている。実施形態１と同様に、キャップ２８０の外壁８８及び内壁８５の先端は、メスコネクタ２の仕切板５９に当接している。図５Ａを実施形態１を示した図２Ｂと比較すれば容易に理解できるように、本実施形態２のキャップ２８０の外壁８８、内壁８５、及び挿入部８１の底板８９からの高さは、実施形態１より高い。
【００７２】
図５Ａ及び図５Ｂには明確に示されていないが、メスコネクタ２の封止体３０の外周面に形成された４つの溝２３２（図４Ａ参照）にキャップ２８０の挿入部８１の内周面から突出した４つの突起２８２（図４Ｂ参照）が嵌入し係合している。このため、封止体３０に対してキャップ２８０を相対的に回転させることができない。
【００７３】
実施形態１と同様に、本実施形態２においても、メス部材１１に対してキャップ２８０を回転させると、キャップ２８０に加えられた回転力が、突起２８２及び溝２３２を介して封止体３０に伝達され、薄肉部１４が破断され、封止体３０が径小部１３から分離される。封止体３０が取り除かれたメスコネクタ２は、封止体３０が取り除かれた実施形態１のメスコネクタ１と実質的に同じである。実施形態１と同様に、メスコネクタ２にオスコネクタ１００を接続することができる（図３参照）。
【００７４】
本実施形態２では、封止体３０がメス部材１１の先端よりも下方に突出している。このため、メス部材１１にキャップ２８０が装着されていない場合には、メスコネクタ２が周辺物に衝突したり、作業者がメスコネクタ２に触れたりすることにより、封止体３０に外力が加えられる可能性がある。これにより、薄肉部１４がひび割れや破断して、液状物が漏れ出したり、バッグ内へ菌が侵入したりするという事態が起こりうる。従って、本実施形態２では、メスコネクタ２を開口する直前までメス部材１１にキャップ２８０を装着しておくことが好ましい。
【００７５】
キャップ２８０をメス部材１１に装着した場合には、実施形態１で説明したように、キャップ２８０が周辺物に衝突するなどによってキャップ２８０に意図しない外力が加えられると、薄肉部１４がひび割れや破断する事態が起こりうる。この事態は、実施形態１で説明した第１〜第４の回避策と同様の回避策を本実施形態２に適用することによって回避することができる。
【００７６】
上記の例では、封止体３０及びキャップ２８０に設けられる、互いに係合し合う係合構造として、封止体３０に溝２３２が設けられ、キャップ２８０に突起２８２が設けられていたが、係合構造はこれに限定されない。溝２３２の数及び突起２８２の数は、それぞれ４つである必要はなく、これより多くても少なくてもよい。互いに係合し合う係合構造は、溝２３２及び突起２８２に限定されず、実施形態１で説明したように任意である。係合構造が、封止体３０の先端、及び、挿入部８１の底面に設けられていてもよい。
【００７７】
本実施形態２では、封止体３０がメス部材１１の先端よりも突出しているので、キャップ２８０を取り外した状態で封止体３０の先端に半径方向の力を加えれば、薄肉部１４を破断させて封止体３０を取り除くことができる。即ち、キャップ２８０を用いなくても、メスコネクタ２を開口させることができる。従って、封止体３０の外周面の溝２３２及び／又は挿入部８１の内周面の突起２８２を省略することが可能である。封止体３０と挿入部８１とが相互に係合する係合構造を省略することにより、キャップ２８０が周辺物に衝突するなどによってキャップ２８０がメスコネクタ２に対して回転しても、その回転が封止体１１に伝達されない。これは、キャップ２８０が周辺物に衝突するなどによって、薄肉部１４が意図せずにひび割れや破断するのを防止するのに有利である。この場合、キャップは、メス部材１１の衛生状態を良好に維持するためにメス部材１１に装着される。上述した実施形態１においても、互いに係合し合う係合構造（突起３２及び突起８２）を省略してもよい。
【００７８】
本実施形態２は、上記を除いて実施形態１と同様である。実施形態１の説明が本実施形態２にも適用される。
【００７９】
（実施形態３）
図６Ａは、本発明の実施形態３に係るメスコネクタ３の先端側から見た斜視図である。図６Ｂは、本発明の実施形態３に係るキャップ３８０の断面斜視図である。実施形態１，２との相違点を中心に、本実施形態３を説明する。
【００８０】
図６Ａに示されているように、本実施形態３のメスコネクタ３の封止体３０の先端には突起３３５が設けられている。突起３３５は、封止体３０と同軸の柱状突起３３６と、柱状突起３３６の先端又はその近傍から半径方向に沿って互いに逆向きに突出した一対の側方突起３３７とを備え、全体とし略Ｔ字形状を有している。本実施形態３のメスコネクタ３の封止体３０は、実施形態１より長く、その結果、突起３３５は、メス部材１１の先端よりも下方に突出している。封止体３０の外周面には、封止体３０の長手方向（中心軸１ａ方向）に沿った２本の溝３３２（図６Ａでは、一方の溝３３２は見えない）が設けられている。溝３３２は、周方向に等間隔に配置されている。
【００８１】
図６Ｂに示されているように、キャップ３８０の管状部８１の内周面に、互いに対向する一対の第１突起３８７と、互いに対向する一対の第２突起３８８（図６Ｂでは、一方の突起３８８のみが示されている）とが設けられている。一対の第１突起３８７が対向する方向と一対の第２突起３８８が対向する方向とは略垂直である。第２突起３８８は、第１突起３８７よりも下側に設けられている。また、挿入部８１の内周面には、その長手方向に沿った２本のリブ状の突起（第３突起）３８２が設けられている（図６Ｂでは、一方の突起３８２のみが示されている）。突起３８２は、周方向に等間隔で配置されている。キャップ３８０の内壁８５の内周面には、実施形態１，２では設けられていた環状リブ８６が設けられていない。
【００８２】
図７Ａ及び図７Ｂは、キャップ３８０が装着されたメスコネクタ３の断面図である。図７Ａに示されているように、キャップ３８０の第１突起３８７が封止体３０の側方突起３３７よりも上側に位置し、両者は上下方向に係合している。このため、キャップ３８０は環状リブ８６を備えていないにも関わらず、重力や軽振動によってメス部材１１から脱落することはない。
【００８３】
図７Ｂに示されているように、メスコネクタ３の封止体３０の外周面に形成された２つの溝３３２（図６Ａ参照）にキャップ３８０の挿入部８１の内周面から突出した２つの突起３８２（図６Ｂ参照）が嵌入し係合している。また、図６Ａ及び図６Ｂから理解できるように、側方突起３３７が第２突起３８８に周方向に係合する。このため、封止体３０に対してキャップ３８０を相対的に回転させることができない。
【００８４】
突起３３５を備えたメスコネクタ３は、例えば二色成形により全体を一部品として一体的に製造することができる。具体的には、一次金型にて突起３３５を成形し、突起３３５を収納した二次金型にて突起３３５を備えたメスコネクタ３を成形することができる。側方突起３３７と第１突起３８７とは、メスコネクタ３及びキャップ３８０をそれぞれ別々に製造した後、キャップ３８０をメスコネクタ３に向かって押し込むことにより係合させることができる。
【００８５】
実施形態１，２と同様に、本実施形態３においても、メス部材１１に対してキャップ３８０を回転させると、キャップ３８０に加えられた回転力が、突起３８２及び溝３３２と、第２突起３８８及び側方突起３３７とを介して封止体３０に伝達され、薄肉部１４が破断され、封止体３０が径小部１３から分離される。封止体３０が取り除かれたメスコネクタ３は、封止体３０が取り除かれた実施形態１のメスコネクタ１と実質的に同じである。実施形態１と同様に、メスコネクタ３にオスコネクタ１００を接続することができる（図３参照）。
【００８６】
本実施形態３では、封止体３０の側方突起３３７がキャップ３８０の第１突起３８７に上下方向に係合するので、封止体３０をキャップ３８０から分離させることができない。従って、メスコネクタ３に対してキャップ３８０を回転させて薄肉部１４を破断した後、キャップ３８０をメス部材１１から分離すると、封止体３０は挿入部８１内に収納された状態でキャップ３８０とともにメス部材１１から取り出される。このため、分離された封止体３０が脱落したり紛失したりすることがない。
【００８７】
上記の例では、封止体３０及びキャップ３８０に設けられる、互いに係合し合う係合構造として、封止体３０に溝３３２及び突起３３５が設けられ、キャップ３８０に突起３８２，３８７，３８８が設けられていた。キャップ３８０に加えられる回転力を封止体３０に伝達する係合構造として、突起３８２及び溝３３２の組み合わせと、第２突起３８８及び側方突起３３７の組み合わせとが設けられていたが、いずれか一方（例えば突起３８２及び溝３３２）を省略してもよい。また、回転力を封止体３０に伝達する係合構造は、本実施形態の構成に限定されず、実施形態１，２で説明したように任意である。キャップ３８０と封止体３０とを中心軸１ａ方向に係合させる係合構造は、第１突起３８７及び側方突起３３７に限定されず、任意に変更しうる。キャップ３８０に加えられる回転力を封止体３０に伝達する係合構造と、キャップ３８０と封止体３０とを中心軸１ａ方向に係合させる係合構造とが、共通する部材で構成されてもよいし、互いに独立した別個の部材で構成されてもよい。
【００８８】
本実施形態３は、上記を除いて実施形態１，２と同様である。実施形態１，２の説明が本実施形態３にも適用される。
【００８９】
（実施形態４）
図８Ａは、本発明の実施形態４に係るメスコネクタ４及びキャップ４８０の下方から見た分解斜視図であり、図８Ｂは、メスコネクタ４及びキャップ４８０の上方から見た分解斜視図である。図８Ｃは、メスコネクタ４及びキャップ４８０の、中心軸１ａを含む一平面に沿った分解断面図、図８Ｄは、メスコネクタ４及びキャップ４８０の、中心軸１ａを含む別の一平面に沿った分解断面図である。図８Ｄの断面は、図８Ｃの断面と直交する。図８Ｅは、メスコネクタ４の、先端側から見た断面斜視図である。図８Ｅの断面は、図８Ｄの断面と同じである。実施形態１との相違点を中心に、本実施形態４を説明する。
【００９０】
実施形態１〜３では、封止体３０は、メスコネクタの径小部１３に対してメス部材１１と同じ側に配置されていた。これに対して、本実施形態４では、図８Ｃ〜図８Ｅに示されているように、封止体４３０は、径小部１３に対してメス部材１１とは反対側に、溶着部５０内の流路５２に向かって突出するように配置されている。封止体４３０は、全体として略円柱形状または略円板形状を有する。薄肉部４１４が、径小部１３の円形の端縁と、封止体４３０の径小部１３側の円形の端縁との間を封止するように、環状に連続している。この結果、径小部１３の開口は、封止体４３０により封止されている。図８Ｅに示されているように、封止体４３０の径小部１３側の面には、凹部４３２が設けられている。凹部４３２は、半円柱形状の窪みである。
【００９１】
図８Ｂ〜図８Ｄに示されているように、キャップ４８０は、内壁８５内に、内壁８５と同軸の挿入部４８１を備える。実施形態１〜３の挿入部８１の先端は、封止体３０を挿入することができるように開口していたが、本実施形態４の挿入部４８１の先端には開口は設けられていない。挿入部４８１は、底板８９から順に、基台部４８３と、基台部４８３より小径の小径先端部４８４とを備える。小径先端部４８３の先端から、半円柱形状の凸部４８２が突出している。凸部４８２は、外壁８８及び内壁８５よりも上側（図８Ｃ、図８Ｄにおいてメスコネクタ４側）に突出している。
【００９２】
図９Ａ及び図９Ｂは、キャップ４８０が装着されたメスコネクタ４の断面図である。メスコネクタ４のメス部材１１及び径小部１３内に、キャップ４８０の基台部４８３及び小径先端部４８４がそれぞれ挿入されている。封止体４３０の凹部４３２内にキャップ４８０の凸部４８２が嵌入している。凹部４３０及び凸部４８２は、いずれも上述したように半円柱形状を有する。このため、封止体４３０に対してキャップ４８０を相対的に回転させることができない。
【００９３】
実施形態１と同様に、本実施形態４においても、メス部材１１に対してキャップ４８０を回転させると、キャップ４８０に加えられた回転力が、凸部４８２及び凹部４３２を介して封止体４３０に伝達され、薄肉部４１４が破断され、封止体４３０が径小部１３から分離される。封止体４３０が取り除かれたメスコネクタ４は、封止体３０が取り除かれた実施形態１のメスコネクタ１と実質的に同じである。実施形態１と同様に、メスコネクタ４にオスコネクタ１００を接続することができる（図３参照）。
【００９４】
以上のように、径小部１３を封止する封止体４３０が、径小部１３に対してメス部材１１とは反対側に配置されていても、薄肉部４１４を破断して封止体４３０を径小部１３から分離させることにより、径小部１３を開口させることができる。
【００９５】
封止体４３０は、径小部１３よりも更に深い位置にあるので、メス部材１１側から封止体４３０にアクセスすることは困難である。このため、メスコネクタ４が周辺物に衝突したり、作業者がメスコネクタ４に触れたりしても、封止体４３０に外力が加えられる可能性はほとんどない。このため、外力によって薄肉部４１４が意図せずにひび割れや破断して、液状物が漏れ出したり、バッグ内へ菌が侵入したりするという事態が起こる可能性は低い。
【００９６】
その一方で、メスコネクタ４は比較的容易に開口させることができる。例えば、図９Ａ及び図９Ｂに示したようにメス部材１１にキャップ４８０を装着した状態で、実施形態１〜３と同様に、キャップ４８０をメスコネクタ４に対して回転させれば、メスコネクタ４を開口させることができる。あるいは、メス部材１１にキャップ４８０を装着していない状態で、メス部材１１に棒を挿入し、その先端を封止体４３０に突き当てた状態で、棒をメス部材１１内に単に押し込むだけでも、メスコネクタ４を開口させることができる。実施形態１〜３とは異なり、本実施形態４では、封止体４３０は、径小部１３で囲まれた開口内に位置しているので、棒の先端を封止体４３０に位置ズレすることなく押し当てるのが容易である。
【００９７】
封止体４３０及びキャップ４８０に設けられる、互いに係合し合う係合構造は、半円柱形状の凹部４３２及び凸部４８２に限定されず、実施形態１で説明したように任意である。封止体４３０に設けられる係合構造は、凹部に限定されず、メス部材１１側に突出していてもよい。実施形態１，２で説明したように、本実施形態４において、互いに係合し合う係合構造（凹部４３２及び凸部４８２）を省略してもよい。
【００９８】
本実施形態４は、上記を除いて実施形態１と同様である。実施形態１の説明が本実施形態４にも適用される。
【００９９】
（実施形態５）
図１０Ａは、本発明の実施形態５に係るメスコネクタ５及びキャップ５８０の下方から見た分解斜視図、図１０Ｂは、メスコネクタ５及びキャップ５８０の上方から見た分解斜視図である。図１０Ｃは、メスコネクタ５及びキャップ５８０の、中心軸（図示せず）を含む一平面に沿って切断された分解断面斜視図、図１０Ｄは、メスコネクタ５及びキャップ５８０の、中心軸（図示せず）を含む別の一平面に沿って切断された分解断面斜視図である。図１０Ｄの断面は、図１０Ｃの断面と直交する。実施形態１〜４との相違点を中心に、本実施形態５を説明する。
【０１００】
図１０Ｃ及び図１０Ｄに示されているように、メスコネクタ５は、中空円筒形状を有する内筒５２１を備える。内筒５２１は、メス部材１１の基端の、内径が相対的に小さい径小部１３に設けられている。内筒５２１は、径小部１３に対してメス部材１１と同じ側に、メス部材１１に取り囲まれるように配置されている。内筒５２１とメス部材１１とは、同軸に配置され、半径方向に離間している。内筒５２１の外周面５２２には、先端に近づくにしたがって外径が小さくなるテーパ面（いわゆるオステーパ面）が設けられている。内筒５２１には、内筒５２１の長手方向に沿った流路５２３が設けられている。流路５２３は、径小部１３と連通している。
【０１０１】
封止体５３０が、薄肉部５１４を介して内筒５２１の先端に接続されている。封止体５３０は、全体として略円柱形状を有する。封止体５３０は、内筒５２１の先端からメス部材１１の先端側に向かって延びている。封止体５３０は、メス部材１１と同軸であり、メス部材１１の内周面１２から半径方向に離間している。薄肉部５１４は、内筒５２１の先端の、流路５２３を取り囲む円形の端縁と、封止体５３０の内筒５２１側の円形の端縁との間を封止するように、環状に連続している。この結果、内筒５２１の流路５２３の先端側の開口は、封止体５３０により封止されている。薄肉部５１４は、その近傍の内筒５２１、メス部材１１、封止体５３０のいずれよりも薄く、その結果、相対的に機械的強度が低下した弱化部である。
【０１０２】
封止体５３０は、メス部材１１の先端よりも下方に突出している。封止体５３０の先端又はその近傍から、一対の側方突起５３７が、半径方向に沿って外向きに突出している。封止体５３０及び一対の側方突起５３７は、全体とし略Ｔ字形状を有している。
【０１０３】
メス部材１１の内周面５１２は、実施形態１〜４の内周面１２及び図１３Ａ及び図１３Ｂに示すメスコネクタ９１０の内周面９１２よりわずかに大きな内径を有する円筒面又はメステーパ面である。
【０１０４】
キャップ５８０の管状部８１の内周面に、互いに対向する一対の第１突起５８７と、互いに対向する一対の第２突起５８８とが設けられている。一対の第１突起５８７が対向する方向と一対の第２突起５８８が対向する方向とは略垂直である。第２突起５８８は、第１突起５８７に対して上側から下側へ、上下方向に沿って延びている。
【０１０５】
図１１Ａ及び図１１Ｂは、キャップ５８０が装着されたメスコネクタ５の断面図である。図１１Ａ及び図１１Ｂの断面は、図１０Ｃ及び図１０Ｄの断面とそれぞれ同じである。図１１Ａに示されているように、キャップ５８０の第１突起５８７が封止体５３０の側方突起５３７よりも上側に位置し、両者は上下方向に係合している。
【０１０６】
図１０Ｃ、図１０Ｄ、図１１Ａから理解できるように、側方突起５３７が第２突起５８８に周方向に係合する。このため、封止体５３０に対してキャップ５８０を相対的に回転させることができない。
【０１０７】
側方突起５３７を備えたメスコネクタ５は、例えば二色成形により全体を一部品として一体的に製造することができる。具体的には、一次金型にて側方突起５３７及び封止体５３０の先端側の一部を一体的に成形し、側方突起５３７及び封止体５３０の一部を収納した二次金型にてメスコネクタ３を成形することができる。側方突起５３７と第１突起５８７とは、メスコネクタ５及びキャップ５８０をそれぞれ別々に製造した後、キャップ５８０をメスコネクタ５に向かって押し込むことにより係合させることができる。
【０１０８】
実施形態１〜４と同様に、本実施形態５においても、メス部材１１に対してキャップ５８０を回転させると、キャップ５８０に加えられた回転力が、第２突起５８８及び側方突起５３７を介して封止体５３０に伝達され、薄肉部５１４が破断され、封止体５３０が内筒５２１から分離される。内筒５２１の流路５２３が開口される。
【０１０９】
その後、メスコネクタ５にオスコネクタ１００が接続される。図１２は、オスコネクタ１００が接続されたメスコネクタ５の断面図である。図１２のメスコネクタ５は、薄肉部５１４が破断され、封止体５３０が取り除かれている点を除いて、図１０Ａ〜図１０Ｄに示したメスコネクタ５と同じである。
【０１１０】
メスコネクタ５の内筒５２１が、オスコネクタ１００のオス部材９２１に挿入されている。上述したように、内筒５２１の外周面５２２には先細のオステーパ面が設けられている。外周面５２２のオステーパ面の先端側での最小外径は、オス部材９２１の流路９２７を規定する内周面９２８の先端側での内径より小さく、且つ、外周面５２２のオステーパ面の基端側での最大外径は、オス部材９２１の内周面９２８の前記内径より大きい。従って、内筒５２１のオステーパ面とオス部材９２１の内周面９２８とが嵌合し、両者間に液密なシール５２９が形成される。この結果、内筒５２１とオス部材９２１とは液密に連通される。
【０１１１】
メスコネクタ５のメス部材１１にオスコネクタ１００のオス部材９２１が挿入され、且つ、螺状突起１５に雌ネジ９２５が螺合されている。互いに螺合する螺状突起１５及び雌ネジ９２５は、メスコネクタ１とオスコネクタ１００との接続状態をロックするためのネジロック機構を構成する。本実施形態５ではメス部材１１の内周面５１２は、実施形態１〜４の内周面１２より大きな内径を有するので、内周面５１２とオス部材９２１の外周面９２２とは半径方向に離間している。
【０１１２】
バッグに貯留された液状物は、メスコネクタ５の流路５２、径小部１３、内筒５２１の流路５２３、オス部材９２１の流路９２７を順に通って、投与セット（図示せず）へ流れる。
【０１１３】
以上のように、本実施形態５のメスコネクタ５は、メス部材１１内に、メス部材１１と同軸の内筒５２１と、内筒５２１の流路５２３を封止する封止体５３０とを備える。メスコネクタ５を、液状物を貯留したバッグに取り付けて、ＲＴＨ製剤を構成することができる。液状物を患者に投与する直前にメスコネクタ５から封止体５３０を取り除き、次いでメスコネクタ５に、投与セットの上流端に設けられたオスコネクタ１００を接続することができる。
【０１１４】
封止体５３０は、内筒５２１の流路５２３を封止するように設けられている。このため、径小部１３を封止するように封止体３０を設けた実施形態１〜４と同様に、封止体５３０を内筒５２１から取り除かない限り、バッグ内の液状物は、メス部材１１の内周面５１２に付着しない。
【０１１５】
内周面５１２に液状物が付着していると、メス部材１１にオス部材９２１を挿入したときに、内周面５１２に付着していた液状物がメス部材１１からあふれ出し、オス部材９２１と外筒９２３との間の隙間９２６に流れ込んだり、内周面５１２に付着していた液状物が、オスコネクタ１００をメスコネクタ５から分離後に、オス部材９２１の外周面９２２に転着したりする。このため、オスコネクタ１００（特にオスコネクタ本体部１２０の隙間９２６）は不衛生状態に至りやすい。
【０１１６】
本実施形態５では、メス部材１１の内周面５１２に液状物が付着しないので、上記の問題が生じる可能性は低い。即ち、内筒５２１の流路５２３を封止する封止体５３０は、オスコネクタ１００の隙間９２６を良好な衛生状態に維持するのに有利である。
【０１１７】
メス部材１１にオス部材９２１を挿入したとき、内筒５２１とオス部材９２１とが連通し、且つ、内筒５２１とオス部材９２１との間に液密なシール５２９が形成される。シール５２９は、液状物が、メス部材１１の内周面５１２やオス部材９２１の外周面９２２へ流れるのを抑える。これは、オスコネクタ１００の隙間９２６を良好な衛生状態に維持するのに有利である。
【０１１８】
液密なシール５２９は、内筒５２１の外周面５２２とオス部材９２１の内周面９２８との間に形成される。これは、簡単な構成で液密なシールを形成するのに有利である。この場合、内筒５２１の外周面５２２がオステーパ面を有していることは、内筒５２１の外周面５２２とオス部材９２１の内周面９２８との間に液密なシール５２９を形成するのに有利である。
【０１１９】
内筒５２１とオス部材９２１とが嵌合し、両者間に液密なシール５２９が形成されたとき、メス部材１１の内周面５１２とオス部材９２１の外周面９２２とは液密に嵌合せず、好ましくは半径方向に離間する。これは、内筒５２１とオス部材９２１とをシール５２９で局所的且つ確実に密着させることができるので、シール５２９の液密性を向上するのに有利である。
【０１２０】
但し、本実施形態５はこれに限定されず、メス部材１１に、ＩＳＯ８０３６９−３に準拠した、実施形態１〜４と同じ内周面１２（図１３Ａ及び図１３Ｂに示した内周面９１２）が設けられていてもよい。この場合、シール５２９が形成されるのとほぼ同時に、メス部材１１の内周面１２とオス部材９２１の外周面９２２とが液密に嵌合し、両者間にも液密なシールが形成される。かかる構成は、メスコネクタ５とオスコネクタ１００との間に複数のシールが形成されるので、液状物の圧力が上昇した場合に、液状物がメスコネクタ５とオスコネクタ１００との間のわずかな隙間を通過して外界に漏れ出るの防ぐのに有利である。
【０１２１】
実施形態３と同様に、封止体５３０の側方突起５３７がキャップ５８０の第１突起５８７に上下方向に係合する。従って、メスコネクタ５に対してキャップ５８０を回転させて薄肉部５１４を破断した後、キャップ５８０をメス部材１１から分離すると、封止体５３０は挿入部８１内に収納された状態でキャップ５８０とともにメス部材１１から分離される。このため、分離された封止体５３０が脱落したり紛失したりすることがない。
【０１２２】
上記の実施形態５では、メスコネクタ５の内筒５２１がオスコネクタ１００のオス部材９２１に挿入された。但し、本発明はこれに限定されない。例えば、内筒５２１とオス部材９２１とを、その長手方向に突き合わせることにより、内筒５２１の先端とオス部材９２１の先端との間に液密なシールを形成してもよい。この場合、内筒５２１の内径を上記の実施形態５に比べて大きくしうるので、内筒５２１の流路５２３を流れる液状物の流動抵抗を小さくするのに有利である。
【０１２３】
上記の実施形態５において、キャップ５８０に設けられた環状リブ８６及び第１突起５８７のうちのいずれか一方を省略してもよい。この場合でも、キャップ５８０は、重力や軽振動によってメス部材１１から脱落することはない。
【０１２４】
上記の例では、封止体５３０及びキャップ５８０に設けられる、互いに係合し合う係合構造として、封止体５３０に側方突起５３７が設けられ、キャップ５８０に突起５８７，５８８が設けられていた。キャップ５８０に加えられる回転力を封止体５３０に伝達する係合構造として第２突起５８８及び側方突起５３７が設けられていたが、回転力を封止体３０に伝達する係合構造は、これに限定されず、実施形態１，２で説明したように任意である。キャップ５８０と封止体５３０とを中心軸１ａ方向に係合させる係合構造は、第１突起３８７及び側方突起５３７に限定されず、任意に変更しうる。キャップ５８０に加えられる回転力を封止体５３０に伝達する係合構造と、キャップ５８０と封止体５３０とを中心軸１ａ方向に係合させる係合構造とが、共通する部材で構成されてもよいし、互いに独立した別個の部材で構成されてもよい。キャップ５８０と封止体５３０とを中心軸１ａ方向に係合させる係合構造を省略してもよい。実施形態１，２で説明したように、本実施形態５において、互いに係合し合う係合構造（側方突起５３７及び突起５８７，５８８）を省略してもよい。
【０１２５】
封止体５３０は、メス部材１１の先端よりも下方に突出している必要はない。即ち、実施形態１の封止体３０のように、メス部材１１の先端から突出していなくてもよい。
【０１２６】
封止体５３０は、内筒５２１の先端から下方に向かって延びている必要はない。例えば、封止体５３０は、内筒５２１の流路５２３内に設けられてもよいし、実施形態４の封止体４３０のように、径小部１３に対してメス部材１１とは反対側に、溶着部５０内の流路５２に向かって突出するように設けられてもよい。この場合、薄肉部５１４は、内筒５２１の流路５２３を規定する内周面の任意の位置（内筒５２１の先端から基端までの任意の位置）または径小部１３と封止体５３０とを液密に接続する。
【０１２７】
上記の実施形態１〜５のメスコネクタ１〜５は、液状物を貯留するバッグを構成するシートに溶着される溶着部５０を備えていたが、本発明のメスコネクタは溶着部５０及び仕切板５９を備えていなくてもよい。このような本発明のメスコネクタは、一構成例では、バッグのシートに溶着される溶着部５０を備えたポート基部に装着されて、バッグのポートを構成し、別の構成例では、柔軟なチューブの一端に設けられる。
【産業上の利用可能性】
【０１２８】
本発明の利用分野は、制限はなく、液状物を取り扱う任意の分野、例えば、医療、食品、化学等において広範囲に利用することができる。中でも、医療分野、特に経腸栄養において好ましく利用できる。具体的には、本発明のメスコネクタは、患者に投与する液状物を貯留した容器（バッグ）、特にＲＴＨ製剤、に設けられる注出ポートとして好ましく利用できる。
【符号の説明】
【０１２９】
１，２，３，４，５  メスコネクタ
１１  メス部材
１２，５１５  メス部材の内周面
１３  径小部
１４，４１４，５１４  薄肉部
３０，４３０，５３０  封止体
３２，３３５，５３７  突起（係合構造）
８０，２８０，３８０，４８０，５８０  キャップ
８１  挿入部
８２，２８２，３８２，３８７，３８８，５８７，５８８  突起（係合構造）
１００  オスコネクタ
２３２，３３２  溝（係合構造）
４３２  凹部（係合構造）
４８２  凸部（係合構造）
５２１  内筒
５２２  内筒の外周面
５２３  内筒の流路
５２９  シール
９２１  オス部材
９２２  オス部材の外周面
９２８  オス部材の内周面
【図１Ａ】
2018052537.tif 000003
【図１Ｂ】
2018052537.tif 000004
【図１Ｃ】
2018052537.tif 000005
【図１Ｄ】
2018052537.tif 000006
【図１Ｅ】
2018052537.tif 000007
【図１Ｆ】
2018052537.tif 000008
【図２Ａ】
2018052537.tif 000009
【図２Ｂ】
2018052537.tif 000010
【図３】
2018052537.tif 000011
【図４Ａ】
2018052537.tif 000012
【図４Ｂ】
2018052537.tif 000013
【図５Ａ】
2018052537.tif 000014
【図５Ｂ】
2018052537.tif 000015
【図６Ａ】
2018052537.tif 000016
【図６Ｂ】
2018052537.tif 000017
【図７Ａ】
2018052537.tif 000018
【図７Ｂ】
2018052537.tif 000019
【図８Ａ】
2018052537.tif 000020
【図８Ｂ】
2018052537.tif 000021
【図８Ｃ】
2018052537.tif 000022
【図８Ｄ】
2018052537.tif 000023
【図８Ｅ】
2018052537.tif 000024
【図９Ａ】
2018052537.tif 000025
【図９Ｂ】
2018052537.tif 000026
【図１０Ａ】
2018052537.tif 000027
【図１０Ｂ】
2018052537.tif 000028
【図１０Ｃ】
2018052537.tif 000029
【図１０Ｄ】
2018052537.tif 000030
【図１１Ａ】
2018052537.tif 000031
【図１１Ｂ】
2018052537.tif 000032
【図１２】
2018052537.tif 000033
【図１３】
2018052537.tif 000034
【図１４】
2018052537.tif 000035